(57)【要約】【課題】回転された画像に対しての操作を容易にする表示装置を提供する。【解決手段】画像描画処理が実行されると、Ｆａの値が「１」か否かが判断される（Ｓ１１１）。Ｆａの値が「１」でなく（Ｓ１１１：ＮＯ）、Ｆｄの値が「１」の場合（Ｓ１１５：ＹＥＳ）、使用者方向から１８０度回転した方向で画像が作成され（Ｓ１１７）、Ｆｏの値が「１」か否かが判断される（Ｓ１１８）。Ｆｏの値が「１」であり（Ｓ１１８：ＹＥＳ）、Ｆｍの値が「１」である場合（Ｓ１１９：ＹＥＳ）、表示部に表示される画像に対して、使用者方向と１８０度回転した方向の両方に操作メニューの画像が合成される（Ｓ１２１）。そして、Ｆｓの値が「１」か否かが判断される（Ｓ１２２）。Ｆｓの値が「１」でない場合（Ｓ１２２：ＮＯ）、作成された画像が描画され（Ｓ１２６）、終了する。【選択図】図１２
2010164719.tif 000002
【特許請求の範囲】
【請求項１】
コンテンツ情報を表示する表示部と、前記表示部に表示された前記コンテンツ情報に対して操作を行うための複数のキーを備えた操作部とを備えた表示装置において、
前記操作部は、前記表示部に表示されている前記コンテンツ情報の回転表示を指示する第１キーと、前記表示部に表示されている前記コンテンツ情報の操作に関する操作メニューの回転表示を指示する第２キーとを少なくとも備え、
前記第１キーにて指示がされたか否かを判断する第１指示判断手段と、
前記第１指示判断手段にて指示がされたと判断された場合、前記表示部に表示されている前記コンテンツ情報を、所定角度回転して表示する第１表示制御手段と、
前記第２キーにて指示がされたか否かを判断する第２指示判断手段と、
前記第１表示制御手段にて前記コンテンツ情報が前記所定角度回転して前記表示部に表示されている状態で、前記第２指示判断手段にて指示がされたと判断された場合、前記表示部に前記操作メニューを前記所定角度回転して表示する第２表示制御手段とを備えたことを特徴とする表示装置。
【請求項２】
前記操作部は、前記操作部の制御を、回転前の向きに対応した制御から回転後の向きに対応した制御への変更を指示する第３キーをさらに備え、
前記第３キーにて指示がされたか否かを判断する第３指示判断手段と、
前記第２表示制御手段により前記コンテンツ情報、及び前記操作メニューが前記所定角度回転して表示された状態で、前記第３指示判断手段にて指示がされたと判断された場合、前記操作部の制御を、回転前の向きに対応した制御から回転後の向きに対応した制御に変更する制御変更手段とを備えたことを特徴とする請求項１に記載の表示装置。
【請求項３】
前記表示部は、上下方向が左右方向より長い長方形状に形成され、
前記操作部は、前記コンテンツ情報の拡大表示を指示する第４キーをさらに備え、
前記第４キーにて指示がされたか否かを判断する第４指示判断手段と、
前記第４指示判断手段にて指示がされたと判断された場合、前記コンテンツ情報を９０度回転することにより、拡大して前記表示部に表示する第４表示制御手段とを備え、
前記第２表示制御手段は、前記第４表示制御手段により前記コンテンツ情報が９０度回転し、拡大されて前記表示部に表示された状態で、前記第２指示判断手段にて指示がされたと判断された場合、前記操作メニューを９０度回転して前記表示部に表示し、
前記制御変更手段は、前記第４表示制御手段により前記コンテンツ情報が９０度回転し、拡大されて前記表示部に表示された状態で、前記３指示判断手段にて指示がされたと判断された場合、前記操作部の制御を、回転前の向きに対応した制御から９０度回転後の向きに対応した制御に変更することを特徴とする請求項２に記載の表示装置。
【請求項４】
前記操作部は、前記コンテンツ情報が前記表示部に表示された際の画像を縮小した縮小画像の表示を指示する第５キーをさらに備え、
前記第５キーにて指示がされたか否かを判断する第５指示判断手段と、
前記第１表示制御手段により前記コンテンツ情報が前記所定角度回転して表示された状態で、前記第５指示判断手段にて指示がされたと判断された場合、前記コンテンツ情報が回転して表示される前の向きで、前記縮小画像を表示し、
前記コンテンツ情報が回転して表示されていない状態で、前記第５指示判断手段にて指示がされたと判断された場合、前記縮小画像を前記所定角度回転して表示する第５表示制御手段と
を備えたことを特徴とする請求項１乃至３のいずれかに記載の表示装置。
【発明の詳細な説明】
【技術分野】
【０００１】
本発明は、表示装置に関するものであり、詳細には、回転された画像に対しての操作を容易にする表示装置に関するものである。
【背景技術】
【０００２】
従来、表示画面上で任意の角度で画像を回転して表示する画像表示装置が知られている（例えば、特許文献１参照）。この特許文献１に記載の画像表示装置では、画像を回転する際に、画像の各画素に対して加減算のみの演算処理を行い、画像を回転して表示する。これにより、回転についての計算量を減らすことができ、処理速度が格段に向上させることが可能となる。
【０００３】
ところで、上記のような画像を回転して表示する表示装置としては、画像を回転させることで表示装置の向きを変えることなく使用者と対面しているユーザに対して、画像を見せることができるものが知られている。
【先行技術文献】
【特許文献】
【０００４】
【特許文献１】特開平６−３２５２０６号公報
【発明の概要】
【発明が解決しようとする課題】
【０００５】
しかしながら、上記記載の表示装置では、画像を回転させて表示することは可能であるが、使用者と対面するユーザから、回転された画像に対して操作がしづらいという問題点があった。
【０００６】
そこで、本発明は、上述した問題を解決するためになされたものであり、回転された画像に対しての操作を容易にする表示装置を提供することを目的とする。
【課題を解決するための手段】
【０００７】
上記目的を達成するために、請求項１に係る発明の表示装置では、コンテンツ情報を表示する表示部と、前記表示部に表示された前記コンテンツ情報に対して操作を行うための複数のキーを備えた操作部とを備えた表示装置において、前記操作部は、前記表示部に表示されている前記コンテンツ情報の回転表示を指示する第１キーと、前記表示部に表示されている前記コンテンツ情報の操作に関する操作メニューの回転表示を指示する第２キーとを少なくとも備え、前記第１キーにて指示がされたか否かを判断する第１指示判断手段と、前記第１指示判断手段にて指示がされたと判断された場合、前記表示部に表示されている前記コンテンツ情報を、所定角度回転して表示する第１表示制御手段と、前記第２キーにて指示がされたか否かを判断する第２指示判断手段と、前記第１表示制御手段にて前記コンテンツ情報が前記所定角度回転して前記表示部に表示されている状態で、前記第２指示判断手段にて指示がされたと判断された場合、前記表示部に前記操作メニューを前記所定角度回転して表示する第２表示制御手段とを備えている。
【０００８】
また、請求項２に係る発明の表示装置は、請求項１に記載の発明の構成に加え、前記操作部は、前記操作部の制御を、回転前の向きに対応した制御から回転後の向きに対応した制御への変更を指示する第３キーをさらに備え、前記第３キーにて指示がされたか否かを判断する第３指示判断手段と、前記第２表示制御手段により前記コンテンツ情報、及び前記操作メニューが前記所定角度回転して表示された状態で、前記第３指示判断手段にて指示がされたと判断された場合、前記操作部の制御を、回転前の向きに対応した制御から回転後の向きに対応した制御に変更する制御変更手段とを備えている。
【０００９】
また、請求項３に係る発明の表示装置は、請求項２に記載の発明の構成に加え、前記表示部は、上下方向が左右方向より長い長方形状に形成され、前記操作部は、前記コンテンツ情報の拡大表示を指示する第４キーをさらに備え、前記第４キーにて指示がされたか否かを判断する第４指示判断手段と、前記第４指示判断手段にて指示がされたと判断された場合、前記コンテンツ情報を９０度回転することにより、拡大して前記表示部に表示する第４表示制御手段とを備え、前記第２表示制御手段は、前記第４表示制御手段により前記コンテンツ情報が９０度回転し、拡大されて前記表示部に表示された状態で、前記第２指示判断手段にて指示がされたと判断された場合、前記操作メニューを９０度回転して前記表示部に表示し、前記制御変更手段は、前記第４表示制御手段により前記コンテンツ情報が９０度回転し、拡大されて前記表示部に表示された状態で、前記３指示判断手段にて指示がされたと判断された場合、前記操作部の制御を、回転前の向きに対応した制御から９０度回転後の向きに対応した制御に変更することを特徴とする。
【００１０】
また、請求項４に係る発明の表示装置は、請求項１乃至３のいずれかに記載の発明の構成に加え、前記操作部は、前記コンテンツ情報が前記表示部に表示された際の画像を縮小した縮小画像の表示を指示する第５キーをさらに備え、前記第５キーにて指示がされたか否かを判断する第５指示判断手段と、前記第１表示制御手段により前記コンテンツ情報が前記所定角度回転して表示された状態で、前記第５指示判断手段にて指示がされたと判断された場合、前記コンテンツ情報が回転して表示される前の向きで、前記縮小画像を表示し、前記コンテンツ情報が回転して表示されていない状態で、前記第５指示判断手段にて指示がされたと判断された場合、前記縮小画像を前記所定角度回転して表示する第５表示制御手段とを備えている。
【発明の効果】
【００１１】
請求項１に係る発明の表示装置では、表示部に表示されたコンテンツ情報の回転表示を指示する第１キーと、コンテンツ情報の操作に関する操作メニューの回転表示を指示する第２キーとを、操作部に備えている。そして、第１キーが指示され、第１表示制御手段にてコンテンツ情報が所定角度回転して表示されている状態で、第２指示判断手段にて第２キーが指示されたと判断された場合、操作メニューが所定角度回転されて表示される。これにより、所定角度回転した方向にいる他の使用者に対して、操作メニューをその方向に対して表示することができる。その結果、所定角度回転した方向にいる他の使用者は、表示装置の方向を変えることなく操作メニューの内容を把握することができる。
【００１２】
また、請求項２に係る発明の表示端末では、請求項１に記載の発明の効果に加え、操作部の制御を、回転前の向きに対応した制御から回転後の向きに対応した制御への変更を指示する第３キーを操作部に備えている。そして、コンテンツ情報、及び操作メニューが所定角度回転して表示された状態で、第３指示判断手段にて指示がされたと判断された場合、操作部の制御を、回転前の向きに対応した制御から回転後の向きに対応した制御に変更される。これにより、所定角度回転した方向にいる他の使用者は、コンテンツ情報、及び操作メニューが所定角度回転して表示されている状態で、第３キーを指示することにより、その方向からの操作が可能となる。その結果、所定角度回転した方向にいる使用者は、所定角度回転した方向からのボタン操作を意識することなしに、操作メニューに対応した操作をすることができる。
【００１３】
また、請求項３に係る発明の表示端末では、請求項２に記載の発明の効果に加え、表示部に表示されているコンテンツ情報を９０度回転する拡大表示を指示する第３キーを操作部に備えている。そして、第２表示制御手段は、コンテンツ情報が９０度回転して拡大表示されている状態で、第２指示判断手段にて指示がされたと判断された場合、操作メニューを９０度回転して表示部に表示する。また、制御変更手段は、前記コンテンツ情報が９０度回転して拡大表示されている状態で、３指示判断手段にて指示がされたと判断された場合、操作部の制御を、回転前の向きに対応した制御から９０度回転後の向きに対応した制御に変更する。これにより、コンテンツ情報を拡大表示した表示装置を使用している使用者は、９０度回転した方向からのボタン操作を意識することなしに、操作メニューに対応した操作することができる。
【００１４】
また、請求項４に係る発明の表示端末では、請求項１乃至３のいずれかに記載の発明の効果に加え、コンテンツ情報が表示部に表示された際の画像を縮小した縮小画像の表示を指示する第５キーを操作部に備えている。そして、コンテンツ情報が所定角度回転して表示された状態で、第５キーの指示がされたと判断された場合、コンテンツ情報が回転して表示される前の向きで、縮小画像を表示し、コンテンツ情報が回転して表示されていない状態で、第５キーの指示がされたと判断された場合、縮小画像を所定角度回転して表示する第５表示制御手段を備えている。これにより、使用者は、コンテンツ情報が自身の方向に向いていない場合であっても、第５キーを指示することにより、コンテンツ情報の縮小された画像を自身の向きで表示できる。その結果、表示装置を回転させ、自身の方向に向けることなしに、表示部に表示されているコンテンツ情報の内容を把握しやすくなる。
【図面の簡単な説明】
【００１５】
【図１】表示装置１００の一具体例を示す平面図である。
【図２】表示装置１００の電気的構成を示すブロック図である。
【図３】表示装置１００のメイン処理のフローチャートである。
【図４】表示装置１００で実行される表示回転処理のフローチャートである。
【図５】表示装置１００で実行される中央ボタン処理のフローチャートである。
【図６】表示装置１００で実行されるミニ表示処理のフローチャートである。
【図７】表示装置１００で実行されるメニュー回転処理のフローチャートである。
【図８】表示装置１００で実行される下ボタン処理のフローチャートである。
【図９】表示装置１００で実行される上ボタン処理のフローチャートである。
【図１０】表示装置１００で実行される左ボタン処理のフローチャートである。
【図１１】表示装置１００で実行される右ボタン処理のフローチャートである。
【図１２】表示装置１００で実行される画像描画処理のフローチャートである。
【図１３】コンテンツ情報１４０の拡大画像が表示されている状態で、操作メニュー１６０が表示されている一具体例を示す図である。
【図１４】コンテンツ情報１４０が、使用者方向に対して１８０度回転して表示されている状態の一具体例を示す図である。
【図１５】コンテンツ情報１４０が、使用者方向に対して１８０度回転して表示されている状態で、操作メニュー１６０が表示されている一具体例を示す図である。
【図１６】コンテンツ情報１４０が、使用者方向に対して１８０度回転して表示されている状態で、ミニ表示画像１７０が表示されている一具体例を示す図である。
【発明を実施するための形態】
【００１６】
以下、本発明を具現化した一実施形態について、図面を参照して説明する。なお、参照する図面は、本発明が採用しうる技術的特徴を説明するために用いられるものであり、記載されている装置の構成、各種処理のフローチャートなどは、それのみに限定する趣旨ではなく、単なる説明例である。
【００１７】
まず、図１、図２を参照して、本実施形態に係る表示装置１００の構成について説明する。図１は、表示装置１００の一具体例を示す平面図である。図２は、表示装置１００の電気的構成を示すブロック図である。なお、表示装置１００は一例として、ＰＤＡ、電子ブック、携帯電話等を用いることができる。
【００１８】
最初に、図１を参照して、表示装置１００の概略を説明する。ここで、図１において紙面上側を表示装置１００の「上側」、紙面下側を「下側」、紙面右側を「右側」、紙面左側を「左側」とする。また、紙面手前側を表示装置１００の「表側」、紙面裏側を表示装置１００の「裏側」とする。
【００１９】
図１に示すように、表示装置１００の表側には、表示部１３０、電源ボタン１９０、及び操作部１８０が設けられている。表示部１３０は、上下方向が左右方向より長い、平面視長方形状に形成され、表側の中央より左側寄りに設けられている。操作部１８０は、使用者による操作を受け付けるボタンや十字キー等の操作キーから構成され、表側の中央より右側寄りに設けられている。
【００２０】
次に、表示部１３０の詳細について説明する。表示部１３０には、文字や画像、映像、又はこれらを組み合わせた情報であるコンテンツ情報１４０，コンテンツが表示されている状態を示すインジケータ１５０，コンテンツ情報１４０を操作するための情報である操作メニュー１６０，表示部１３０に表示されたコンテンツ情報１４０が縮小表示されたミニ表示画像１７０等が表示される。
【００２１】
コンテンツ情報１４０は、表示部１３０の中央部に表示される画像形式のデータであり、インジケータ１５０は、コンテンツ情報１４０の周辺部に表示される。ここで、例えば、インジケータ１５０としては、表示部１３０に表示されているコンテンツ情報１４０のタイトル名、ページ数等が表示される。なお、表示装置１００の通常の使用時（表示部１３０に表示されるコンテンツ情報１４０を回転する前の状態）では、コンテンツ情報１４０は、使用者から見て正常に認識可能な方向（以下、「使用者方向」という。）である上側から下側に向けて表示されており、インジケータ１５０はコンテンツ情報１４０の下側に表示されているものとする。
【００２２】
また、操作メニュー１６０、及びミニ表示画像１７０は通常は表示されておらず、使用者からの操作部１８０の操作に応じて、コンテンツ情報１４０が表示されている上に表示される。ここで、例えば、操作メニュー１６０としては、図１に示すように、上ボタン１８１，右ボタン１８３，下ボタン１８４，左ボタン１８５に対応した情報が表示される。
【００２３】
次に、操作部１８０の詳細について説明する。操作部１８０は、上ボタン１８１，中央ボタン１８２，右ボタン１８３，下ボタン１８４，左ボタン１８５，表示回転ボタン１８６，メニュー回転ボタン１８７，及びミニ表示ボタン１８８の各操作キーから構成されている。
【００２４】
中央ボタン１８２は、コンテンツ情報１４０を操作するための操作メニュー１６０の表示，非表示を切り替える際に使用するボタンである。上ボタン１８１，右ボタン１８３，下ボタン１８４，及び左ボタン１８５は、表示部１３０に表示されたコンテンツ情報１４０を操作するための操作ボタンである。表示回転ボタン１８６は、表示部１３０に表示されているコンテンツ情報１４０等を所定角度回転して表示するためのボタンである。ここで、本実施の形態では、所定角度としては一例として、使用者方向と対向する向きである１８０度とする。
【００２５】
メニュー回転ボタン１８７は、所定角度（本実施の形態では１８０度とする）回転して表示されたコンテンツ情報１４０において、使用者方向に対して１８０度回転した方向からの操作を可能にするために、操作部１８０の制御の切り替えを指示するボタンである。ミニ表示ボタン１８８は、表示部１３０に表示されたコンテンツ情報１４０が縮小されたデータの表示，非表示の切り替えを指示するボタンである。
【００２６】
また、電源ボタン１９０は、表示装置１００に電力を供給するためのスイッチのＯＮ，ＯＦＦを切り替えるボタンである。
【００２７】
次に、図２のブロック図を参照して、表示装置１００の電気的構成について説明する。図２に示すように、表示装置１００は、表示装置１００の制御を司るＣＰＵ１０１を備えている。そして、このＣＰＵ１０１には、ＲＯＭ１０２、ＲＡＭ１０３、ＥＥＰＲＯＭ１０４，表示制御部１０５、操作制御部１０６、及び電源制御部１０７がバス１２０を介して接続されている。表示制御部１０５を介して、表示部１３０が接続されている。操作制御部１０６を介して操作部１８０が接続されている。電源制御部１０７は、表示装置１００に装着される電池１０８、及び表示装置１００の電源の入出力を行う電源ボタン１９０に接続されている。
【００２８】
ＲＯＭ１０２は、表示装置１００を動作させるためのプログラム等を記憶し、ＲＡＭ１０３は、各種変数等が一時的に記憶される。ＥＥＰＲＯＭ１０４は、不揮発性のメモリである。表示制御部１０５は、表示部１３０に表示されるコンテンツ情報１４０の表示を制御する。操作制御部１０６は、操作部１８０を介して使用者からの操作を制御する。また、電源制御部１０７は、表示装置１００に接続する電池１０８、及び電源の入出力を行う電源ボタン１９０の制御を行う。
【００２９】
次に、図３〜図１２を参照して、表示装置１００の各処理について説明する。図３は、表示装置１００のメイン処理のフローチャートである。図４は、表示装置１００で実行される表示回転処理のフローチャートである。図５は、表示装置１００で実行される中央ボタン処理のフローチャートである。図６は、表示装置１００で実行されるミニ表示処理のフローチャートである。図７は、表示装置１００で実行されるメニュー回転処理のフローチャートである。図８は、表示装置１００で実行される下ボタン処理のフローチャートである。図９は、表示装置１００で実行される上ボタン処理のフローチャートである。図１０は、表示装置１００で実行される左ボタン処理のフローチャートである。図１１は、表示装置１００で実行される右ボタン処理のフローチャートである。図１２は、表示装置１００で実行される画像描画処理のフローチャートである。図１３は、コンテンツ情報１４０の拡大画像が表示されている状態で、操作メニュー１６０が表示されている一具体例を示す図である。図１４は、コンテンツ情報１４０が、使用者方向に対して１８０度回転して表示されている状態の一具体例を示す図である。図１５は、コンテンツ情報１４０が、使用者方向に対して１８０度回転して表示されている状態で、操作メニュー１６０が表示されている一具体例を示す図である。図１６は、コンテンツ情報１４０が、使用者方向に対して１８０度回転して表示されている状態で、ミニ表示画像１７０が表示されている一具体例を示す図である。
【００３０】
まず、はじめに図３を参照して、表示装置１００のメイン処理について説明する。なお、図３に示す表示装置１００のメイン処理は、表示装置１００の電源がＯＮ時に実行される処理である。
【００３１】
図３に示すように、表示装置１００のメイン処理が実行されると、メイン処理に使用する各変数の値が「０」にセットされ、コンテンツ情報１４０として初期画面が表示される初期化処理が行われる（Ｓ１１）。この各変数は、メイン処理が実行中にＲＡＭ１０３に一時的に保持される変数であり、各ボタンの状態に対応した変数である。この各変数についての詳細は、後述する。
【００３２】
各変数が初期化されると、電源ボタン１９０が使用者により押されたか否かが判断される（Ｓ１２）。電源ボタン１９０が押されたと判断された場合（Ｓ１２：ＹＥＳ）、表示装置１００の主電源に電池１０８からの電力の供給を遮断する電源オフの処理が行われ（Ｓ２１）、メイン処理を終了する。
【００３３】
電源ボタン１９０が押されていないと判断された場合（Ｓ１２：ＮＯ）、表示回転ボタン１８６が押されたか否かの判断が行われる（Ｓ１３）。表示回転ボタン１８６が押されたと判断された場合（Ｓ１３：ＹＥＳ）、表示回転処理が行われ（Ｓ２２）、Ｓ１２へ移行する。この表示回転処理の詳細については後述する。
【００３４】
表示回転ボタン１８６が押されていないと判断された場合（Ｓ１３：ＮＯ）、メニュー回転ボタン１８７が押されたか否かの判断が行われる（Ｓ１４）。メニュー回転ボタン１８７が押されたと判断された場合（Ｓ１４：ＹＥＳ）、メニュー回転処理が行われ（Ｓ２３）、Ｓ１２へ移行する。このメニュー回転処理の詳細については後述する。
【００３５】
メニュー回転ボタン１８７が押されていないと判断された場合（Ｓ１４：ＮＯ）、ミニ表示ボタン１８８が押されたか否かの判断が行われる（Ｓ１５）。ミニ表示ボタン１８８が押されたと判断された場合（Ｓ１５：ＹＥＳ）、ミニ表示処理が行われ（Ｓ２４）、Ｓ１２へ移行する。このミニ表示処理の詳細については後述する。
【００３６】
ミニ表示ボタン１８８が押されていないと判断された場合（Ｓ１５：ＮＯ）、中央ボタン１８２が押されたか否かの判断が行われる（Ｓ１６）。中央ボタン１８２が押されたと判断された場合（Ｓ１６：ＹＥＳ）、中央ボタン処理が行われ（Ｓ２５）、Ｓ１２へ移行する。この中央ボタン処理の詳細については後述する。
【００３７】
中央ボタン１８２が押されていないと判断された場合（Ｓ１６：ＮＯ）、下ボタン１８４が押されたか否かの判断が行われる（Ｓ１７）。下ボタン１８４が押されたと判断された場合（Ｓ１７：ＹＥＳ）、下ボタン処理が行われ（Ｓ２６）、Ｓ１２へ移行する。この下ボタン処理の詳細については後述する。
【００３８】
下ボタン１８４が押されていないと判断された場合（Ｓ１７：ＮＯ）、上ボタン１８１が押されたか否かの判断が行われる（Ｓ１８）。上ボタン１８１が押されたと判断された場合（Ｓ１８：ＹＥＳ）、上ボタン処理が行われ（Ｓ２７）、Ｓ１２へ移行する。この上ボタン処理の詳細については後述する。
【００３９】
上ボタン１８１が押されていないと判断された場合（Ｓ１８：ＮＯ）、左ボタン１８５が押されたか否かの判断が行われる（Ｓ１９）。左ボタン１８５が押されたと判断された場合（Ｓ１９：ＹＥＳ）、左ボタン処理が行われ（Ｓ２８）、Ｓ１２へ移行する。この左ボタン処理の詳細については後述する。
【００４０】
左ボタン１８５が押されていないと判断された場合（Ｓ１９：ＮＯ）、右ボタン１８３が押されたか否かの判断が行われる（Ｓ２０）。右ボタン１８３が押されたと判断された場合（Ｓ２０：ＹＥＳ）、右ボタン処理が行われ（Ｓ２９）、Ｓ１２へ移行する。この右ボタン処理の詳細については後述する。
【００４１】
右ボタン１８３が押されていないと判断された場合（Ｓ２０：ＮＯ）、Ｓ１２へ移行する。そして、各ボタンが押されるまで、Ｓ１２〜Ｓ２０の判断処理を繰り返す。
【００４２】
次に、図４を参照して、表示回転処理について説明する。この処理は、表示回転ボタン１８６が押された際に実行される処理である。表示回転処理が実行されると、変数であるＦｄの値が「０」か否かが判断される（Ｓ３１）。Ｆｄは、表示装置１００のメイン処理が実行中にＲＡＭ１０３に保持される変数であり、表示部１３０に表示されているコンテンツ情報１４０の表示の向きを判断する際に使用される。Ｆｄの値が「０」であれば、表示部１３０に表示されているコンテンツ情報１４０は、使用者方向で表示されている状態である。また、Ｆｄの値が「１」であれば、表示部１３０に表示されているコンテンツ情報１４０が、使用者方向に対して１８０度回転して表示されている状態である。なお、Ｆｄの初期値は、「０」であり、図３のＳ１１で初期化される。
【００４３】
Ｆｄの値が「０」であると判断された場合（Ｓ３１：ＹＥＳ）、Ｆｄの値を「１」に設定し（Ｓ３３）、表示部１３０に表示される情報を描画する画像描画処理が行われる（Ｓ３４）。この画像描画処理についての詳細は、後述する。そして、表示回転処理を終了する。
【００４４】
また、Ｆｄの値が「０」でないと判断された場合（Ｓ３１：ＮＯ）、Ｆｄの値を「０」に設定し（Ｓ３２）、画像描画処理が行われる（Ｓ３４）。そして、表示回転処理を終了する。
【００４５】
次に、図５を参照して、中央ボタン処理について説明する。この処理は、中央ボタン１８２が押された際に実行される処理である。中央ボタン処理が実行されると、変数であるＦｏの値が「０」か否かが判断される（Ｓ４１）。Ｆｏは、表示装置１００のメイン処理が実行中にＲＡＭ１０３に記憶されている変数であり、操作メニュー１６０を表示するか否かを判断する際に使用される。Ｆｏの値が「１」であれば、表示部１３０に操作メニュー１６０が表示されている状態であり、Ｆｏの値が「０」であれば、表示部１３０に操作メニュー１６０が表示されていない状態である。なお、Ｆｏの初期値は、「０」であり、図３のＳ１１で初期化される。
【００４６】
Ｆｏの値が「０」であると判断された場合（Ｓ４１：ＹＥＳ）、Ｆｏの値を「１」に設定し（Ｓ４３）、表示部１３０に表示される情報を描画する画像描画処理が行われる（Ｓ４４）。そして、中央ボタン処理を終了する。
【００４７】
また、Ｆｏの値が「０」でないと判断された場合（Ｓ４１：ＮＯ）、Ｆｏの値を「０」に設定し（Ｓ４２）、画像描画処理が行われる（Ｓ４４）。そして、中央ボタン処理を終了する。
【００４８】
次に、図６を参照して、ミニ表示処理について説明する。この処理は、ミニ表示ボタン１８８が押された際に実行される処理である。ミニ表示ボタン処理が実行されると、変数であるＦｓの値が「０」か否かが判断される（Ｓ５１）。Ｆｓは、表示装置１００のメイン処理が実行中にＲＡＭ１０３に記憶されている変数であり、ミニ表示画像１７０を表示しているか否かを判断する際に使用される。Ｆｓの値が「１」であれば、表示部１３０にミニ表示画像１７０が表示されている状態あり、Ｆｓの値が「０」であれば、表示部１３０にミニ表示画像１７０が表示されていない状態である。なお、Ｆｓの初期値は、「０」であり、図３のＳ１１で初期化される。
【００４９】
Ｆｓの値が「０」であると判断された場合（Ｓ５１：ＹＥＳ）、Ｆｓの値を「１」に設定し（Ｓ５３）、表示部１３０に表示される情報を描画する画像描画処理が行われる（Ｓ５４）。この画像描画処理についての詳細は、後述する。そして、ミニ表示処理を終了する。
【００５０】
また、Ｆｓの値が「０」でないと判断された場合（Ｓ５１：ＮＯ）、Ｆｓの値を「０」に設定し（Ｓ５２）、画像描画処理が行われる（Ｓ５４）。そして、ミニ表示処理を終了する。
【００５１】
次に、図７を参照して、メニュー回転処理について説明する。この処理は、メニュー回転ボタン１８７が押された際に実行される処理である。メニュー回転処理が実行されると、Ｆｏの値が「１」か否かが判断される（Ｓ６１）。つまり、表示部１３０に操作メニュー１６０が表示されている状態か否かが判断される。Ｆｏの値が「１」でない場合（Ｓ６１：ＮＯ）、メニュー回転処理を終了する。つまり、表示部１３０に操作メニュー１６０が表示されていない場合、メニュー回転処理は行われない。
【００５２】
Ｆｏの値が「１」である場合（Ｓ６１：ＹＥＳ）、Ｆｄの値が「１」か否かが判断される（Ｓ６２）。つまり、表示部１３０に操作メニュー１６０が表示されている状態で、表示部１３０に表示されているコンテンツ情報１４０が、使用者方向に対して１８０度回転して表示されている状態であるか否かが判断される。Ｆｄの値が「１」でない場合（Ｓ６２：ＮＯ）、メニュー回転処理を終了する。つまり、表示部１３０に表示されているコンテンツ情報１４０が使用者方向に対して表示されている状態の場合、メニュー回転処理を終了する。
【００５３】
Ｆｄの値が「１」である場合（Ｓ６２：ＹＥＳ）、Ｆｍの値が「０」か否かが判断される（Ｓ６３）。Ｆｍは、表示装置１００のメイン処理が実行中にＲＡＭ１０３に記憶される変数であり、操作部１８０の各ボタンが使用者方向からの操作に対応しているか否かを判断する際に使用される。Ｆｍの値が「０」であれば、操作部１８０の各ボタンが使用者方向からの操作に対応している状態であり、Ｆｍの値が「１」であれば、操作部１８０の各ボタンが使用者方向以外の方向からの操作に対応している状態である。なお、Ｆｍの初期値は、「０」であり、図３のＳ１１で初期化される。
【００５４】
Ｆｍの値が「０」であると判断された場合（Ｓ６３：ＹＥＳ）、Ｆｍの値を「１」に設定し（Ｓ６５）、表示部１３０に表示される情報を描画する画像描画処理が行われる（Ｓ６６）。この画像描画処理についての詳細は、後述する。そして、メニュー回転処理を終了する。
【００５５】
また、Ｆｍの値が「０」でないと判断された場合（Ｓ６３：ＮＯ）、Ｆｍの値を「０」に設定し（Ｓ６４）、画像描画処理が行われる（Ｓ６６）。そして、メニュー回転処理を終了する。
【００５６】
次に、図８を参照して、下ボタン処理について説明する。この処理は、下ボタン１８４が押された際に実行される処理である。下ボタン処理が実行されると、ＲＡＭ１０３に記憶された変数であるＦａの値が「１」か否かが判断される（Ｓ７１）。Ｆａは、表示装置１００のメイン処理が実行中にＲＡＭ１０３に記憶されている変数である。Ｆａの値が「１」の場合は、表示部１３０に表示されているコンテンツ情報１４０を使用者方向から９０度回転し、コンテンツ情報１４０の拡大した画像（以下、「拡大画像」という。）を表示した状態（以下、「拡大表示」という。）であり、Ｆａが「０」の場合は、拡大表示ではない通常表示がされている。なお、Ｆａの初期値は、「０」であり、図３のＳ１１で初期化される。
【００５７】
Ｆａの値が「１」と判断された場合（Ｓ７１：ＹＥＳ）、つまり、拡大表示がされている場合、表示部１３０に表示されているコンテンツ情報１４０の前ページの拡大画像データが選択（画像データをＲＡＭ１０３に展開する）される（Ｓ７２）。そして、画像描画処理か行われ（Ｓ７６）、下ボタン処理が終了する。この画像描画処理についての詳細は、後述する。
【００５８】
Ｆａの値が「１」でないと判断された場合（Ｓ７１：ＮＯ）、つまり、拡大表示がされていない場合、Ｆｍの値が「０」か否かが判断される（Ｓ７３）。ここで、Ｆｍの値は、上述したように、操作部１８０の各ボタンが使用者方向からの操作に対応しているか否かを判断する際に使用される。Ｆｍの値が「０」でない場合（Ｓ７３：ＮＯ）、つまり、操作部１８０の各ボタンが使用者方向以外の方向からの操作に対応している状態の場合、ファイル選択画像（図示外）が選択される（Ｓ７４）。このファイル選択画像は、表示部１３０に表示されているファイルの画像データを、他のファイルの画像データに切り替えるファイルセレクタである。ファイル選択画像が選択されると、表示部１３０に表示される情報を描画する画像描画処理が行われる（Ｓ７６）。そして、下ボタン処理を終了する。
【００５９】
また、Ｆｍの値が「０」の場合（Ｓ７３：ＹＥＳ）、つまり、操作部１８０の各ボタンが使用者方向からの操作に対応している状態の場合、拡大表示状態とするためＦａに「１」が記憶される（Ｓ７５）。そして、表示部１３０に表示される情報を描画する画像描画処理が行われ（Ｓ７６）、下ボタン処理を終了する。
【００６０】
次に、図９を参照して、上ボタン処理について説明する。この処理は、上ボタン１８１が押された際に実行される処理である。上ボタン処理が実行されると、ＲＡＭ１０３に記憶された変数であるＦａの値が「１」か否かが判断される（Ｓ８１）。上述したように、Ｆａは、表示装置１００のメイン処理が実行中にＲＡＭ１０３に記憶されている変数である。Ｆａの値が「１」の場合は、拡大表示の状態であり、Ｆａが「０」の場合は、拡大画像ではない通常表示がされている。
【００６１】
Ｆａの値が「１」と判断された場合（Ｓ８１：ＹＥＳ）、つまり、拡大表示がされている場合、表示部１３０に表示されているコンテンツ情報１４０の次ページの拡大画像データが選択される（Ｓ８２）。そして、画像描画処理か行われ（Ｓ８６）、上ボタン処理が終了する。この画像描画処理についての詳細は、後述する。
【００６２】
Ｆａの値が「１」でないと判断された場合（Ｓ８１：ＮＯ）、つまり、拡大表示がされていない場合、Ｆｍの値が「０」か否かが判断される（Ｓ８３）。ここで、Ｆｍの値は、上述したように、操作部１８０の各ボタンが使用者方向からの操作に対応しているか否かを判断する際に使用される。Ｆｍの値が「０」の場合（Ｓ８３：ＹＥＳ）、つまり、操作部１８０の各ボタンが使用者方向からの操作に対応している状態の場合、上述したファイル選択画像（図示外）が選択される（Ｓ８５）。ファイル選択画像が選択されると、表示部１３０に表示される情報を描画する画像描画処理が行われる（Ｓ８６）。そして、上ボタン処理を終了する。
【００６３】
また、Ｆｍの値が「０」でない場合（Ｓ８３：ＮＯ）、つまり、操作部１８０の各ボタンが使用者方向以外の方向からの操作に対応している状態の場合、拡大表示状態とするためＦａに「１」が記憶される（Ｓ８４）。そして、表示部１３０に表示される情報を描画する画像描画処理が行われ（Ｓ８６）、上ボタン処理を終了する。
【００６４】
次に、図１０を参照して、左ボタン処理について説明する。この処理は、左ボタン１８５が押された際に実行される処理である。左ボタン処理が実行されると、Ｆａの値が「１」か否かが判断される（Ｓ９１）。Ｆａの値が「１」と判断された場合（Ｓ９１：ＹＥＳ）、つまり、拡大表示がされている場合、ファイル選択画像データが選択される（Ｓ９２）。そして、表示部１３０に表示される情報を描画する画像描画処理が行われ（Ｓ９６）、左ボタン処理が終了する。この画像描画処理についての詳細は、後述する。
【００６５】
また、Ｆａの値が「１」でないと判断された場合（Ｓ９１：ＮＯ）、つまり、拡大表示がされていない場合、Ｆｍの値が「０」か否かが判断される（Ｓ９３）。上述したように、Ｆｍは、ＲＡＭ１０３に記憶されている変数であり、Ｆｍの値が「０」であれば、操作部１８０の各ボタンが使用者方向からの操作に対応している状態であり、Ｆｍの値が「１」であれば、操作部１８０の各ボタンが使用者方向以外の方向からの操作に対応している状態である。
【００６６】
Ｆｍの値が「０」の場合（Ｓ９３：ＹＥＳ）、表示部１３０に表示されているコンテンツ情報１４０の前ページの画像データが選択される（Ｓ９５）。そして、画像描画処理が行われ（Ｓ９６）、左ボタン処理が終了する。この画像描画処理についての詳細は、後述する。
【００６７】
Ｆｍの値が「０」の場合（Ｓ９３：ＮＯ）、表示部１３０に表示されているコンテンツ情報１４０の次のページが選択される（Ｓ９４）。そして、画像描画処理が行われ（Ｓ９６）、左ボタン処理が終了する。
【００６８】
次に、図１１を参照して、右ボタン処理について説明する。この処理は、右ボタン１８３が押された際に実行される処理である。右ボタン処理が実行されると、Ｆａの値が「１」か否かが判断される（Ｓ１０１）。Ｆａの値が「１」と判断された場合（Ｓ１０１：ＹＥＳ）、つまり、拡大表示がされている場合、Ｆａの値に「０」が記憶される（Ｓ１０２）。つまり、拡大表示されている状態で、再度、右ボタンが押された場合、表示状態を通常状態に戻すためにＦａの値が「０」となる。そして、そして、画像描画処理が行われ（Ｓ１０７）、右ボタン処理を終了する。この画像描画処理についての詳細は、後述する。
【００６９】
また、Ｆａの値が「１」でないと判断された場合（Ｓ１０１：ＮＯ）、つまり、拡大表示がされていない場合、Ｆｍの値が「０」か否かが判断される（Ｓ１０４）。上述したように、Ｆｍは、ＲＡＭ１０３に記憶されている変数であり、Ｆｍの値が「０」であれば、操作部１８０の各ボタンが使用者方向からの操作に対応している状態であり、Ｆｍの値が「１」であれば、操作部１８０の各ボタンが使用者方向以外の方向からの操作に対応している状態である。
【００７０】
Ｆｍの値が「０」の場合（Ｓ１０４：ＹＥＳ）、表示部１３０に表示されているコンテンツ情報１４０の次のページが選択される（Ｓ１０６）。そして、画像描画処理が行われ（Ｓ１０７）、右ボタン処理が終了する。
【００７１】
Ｆｍの値が「０」の場合（Ｓ１０４：ＮＯ）、表示部１３０に表示されているコンテンツ情報１４０の前のページが選択される（Ｓ１０５）。そして、画像描画処理が行われ（Ｓ１０７）、右ボタン処理が終了する。
【００７２】
次に、図１２〜図１６を参照して、画像描画処理について説明する。この処理は、操作部１８０の各ボタンが押され、各ボタンの操作に対応した画像を表示部１３０に描画する際に実行される処理である。
【００７３】
画像描画処理が実行されると、Ｆａの値が「１」か否かが判断される（Ｓ１１１）。ここで、Ｆａは拡大表示の制御を行うための変数であり、ＲＡＭ１０３に記憶されている。Ｆａの値が「１」の場合（Ｓ１１１：ＹＥＳ）、先に選択されている画像データから表示部１３０に表示されるコンテンツ情報１４０を使用者方向から９０度回転した拡大画像が生成される（Ｓ１１２）。ここで、表示部１３０の上下方向は左右方向より長いため、使用者方向から９０度回転した状態では、表示部１３０に表示されるコンテンツ情報１４０は拡大された状態となる。
【００７４】
そして、Ｆｏの値が「１」か否かが判断される。ここで、Ｆｏは操作メニュー１６０を表示部１３０に表示するか否かを判断するための変数であり、ＲＡＭ１０３に記憶されている。
【００７５】
Ｆｏの値が「１」と判断された場合（Ｓ１１３：ＹＥＳ）、つまり、操作メニュー１６０が表示される場合、拡大表示されている状態での操作メニュー１６０の画像の合成が行われる（Ｓ１１４）。ここで、操作メニュー１６０は、図１３に示すように、使用者方向から９０度回転した状態で表示される。そして、作成された画像が表示部１３０に描画され（Ｓ１２６）、画像描画処理が終了する。
【００７６】
Ｆｏの値が「１」でないと判断された場合（Ｓ１１３：ＮＯ）、つまり、操作メニュー１６０が表示されない場合、そのまま、作成された画像が表示部１３０に描画され（Ｓ１２６）、画像描画処理が終了する。
【００７７】
Ｆａの値が「１」でないと判断された場合（Ｓ１１１：ＮＯ）、つまり、拡大表示されない場合、Ｆｄの値が「１」か否かが判断される（Ｓ１１５）。Ｆｄの値が「１」でないと判断された場合（Ｓ１１５：ＮＯ）、選択されている画像データから使用者方向のコンテンツ情報１４０，及びインジケータ１５０の画像が作成される（Ｓ１１６）。そして、Ｆｏの値が「１」か否かが判断される（Ｓ１１８）。
【００７８】
Ｆｄの値が「１」であると判断された場合（Ｓ１１５：ＹＥＳ）、図１４に示すように、選択されている画像データから、使用者方向から１８０度回転した方向のコンテンツ情報１４０，及びインジケータ１５０の画像が作成される（Ｓ１１７）。なお、インジケータ１５０は、使用者方向、及び使用者方向から１８０度回転した方向に表示される。そして、Ｓ１１８へ移行する。
【００７９】
Ｆｏの値が「１」と判断された場合（Ｓ１１８：ＹＥＳ）、つまり、表示部１３０に操作メニュー１６０が表示される場合、Ｆｍの値が「１」か否かが判断される（Ｓ１１９）。Ｆｍの値が「１」である場合（Ｓ１１９：ＹＥＳ）、つまり、操作部１８０の各ボタンが使用者方向以外の方向からの操作に対応している状態の場合、図１５に示すように、表示部１３０に表示されるコンテンツ情報１４０の上に、使用者方向に対して１８０度回転した方向の操作メニュー１６０の画像が合成される（Ｓ１２１）。そして、Ｆｓの値が「１」か否かが判断される（Ｓ１２２）。
【００８０】
Ｆｍの値が「１」でない場合（Ｓ１１９：ＮＯ）、操作部１８０の各ボタンが使用者方向からの操作に対応している状態の場合、表示部１３０に表示されるコンテンツ情報１４０の上に、使用者方向に対しての操作メニュー１６０の画像が合成される（Ｓ１２０）。そして、Ｓ１２２へ移行する。
【００８１】
また、Ｆｏの値が「１」でない場合（Ｓ１１８：ＮＯ）、つまり、表示部１３０に操作メニュー１６０を表示しない場合、そのまま、Ｓ１２２へ移行する。
【００８２】
Ｆｓの値が「１」であると判断された場合（Ｓ１２２：ＹＥＳ）、つまり、表示部１３０にミニ表示画像１７０を表示する場合、Ｆｄの値が「１」か否かが判断される（Ｓ１２３）。Ｆｄの値が「１」と判断された場合（Ｓ１２３：ＹＥＳ）、つまり、表示部１３０に表示されるコンテンツ情報１４０、及びインジケータ１５０が、使用者方向に対して１８０度回転した方向に表示される場合、図１６に示すように、表示部１３０の使用者方向にミニ表示画像１７０が、コンテンツ情報１４０の上に合成される（Ｓ１２５）。そして、合成された画像が表示部１３０に描画され（Ｓ１２６）、画像描画処理が終了する。
【００８３】
また、Ｆｄの値が「１」でないと判断された場合（Ｓ１２３：ＮＯ）、つまり、表示部１３０に表示されるコンテンツ情報１４０、及びインジケータ１５０が、使用者方向に対して表示される場合、表示部１３０の使用者方向に対して１８０度回転した方向にミニ表示画像１７０が、コンテンツ情報１４０の上に合成される（Ｓ１２４）。そして、合成された画像が表示部１３０に描画され（Ｓ１２６）、画像描画処理が終了する。
【００８４】
また、Ｆｓの値が「１」でないと判断された場合（Ｓ１２２：ＮＯ）、つまり、ミニ表示画像１７０を表示しない場合、作成された画像が表示部１３０に描画され（Ｓ１２６）、画像描画処理が終了する。
【００８５】
以上説明したように、本実施の形態によると、表示装置１００は、コンテンツ情報１４０が表示部１３０に使用者方向で表示されている状態で、表示回転ボタン１８６が押された場合、コンテンツ情報１４０が使用者方向に対して１８０度回転されて表示される。そして、中央ボタン１８２が押されると、操作メニュー１６０が使用者方向に対して１８０度回転されて表示される。これにより、使用者方向と対向する側にいる他の使用者に対して、操作メニュー１６０を、その方向に対して表示することができる。その結果、使用者所定角度回転した方向にいる他の使用者は、表示装置１００の方向を変えることなく操作メニュー１６０の内容を把握することができる。
【００８６】
また、表示部１３０において、コンテンツ情報１４０、操作メニュー１６０が使用者方向に対して１８０度回転して表示されている状態で、メニュー回転ボタン１８７が押されると、操作部１８０の制御が、使用者方向に対して１８０度回転した方向からの制御となる。その結果、使用者方向に対して１８０角度回転した方向にいる使用者は、１８０度回転した方向からのボタン操作を意識することなしに、操作メニュー１６０に対応した操作をすることができる。
【００８７】
また、操作部１８０は、表示部１３０に表示されているコンテンツ情報１４０を、９０度回転して拡大表示するボタンを備えている。そして、コンテンツ情報１４０が９０度回転されて拡大表示されている状態で、中央ボタン１８２が押されると、操作メニュー１６０が９０度回転して表示される。また、メニュー回転ボタン１８７が押されると、回転前の向きに対応した制御から９０度回転後の向きに対応した制御に変更する。これにより、コンテンツ情報１４０を拡大表示した表示装置１００を使用している使用者は、９０度回転した方向からのボタン操作を意識することなしに、操作メニュー１６０に対応した操作することができる。
【００８８】
また、操作部１８０は、コンテンツ情報１４０が表示部１３０に表示された際の画像を縮小した縮小画像の表示を指示するミニ表示ボタン１８８を備えている。そして、コンテンツ情報１４０が１８０度回転して表示された状態で、ミニ表示ボタン１８８が押された場合、コンテンツ情報１４０が回転して表示される前の向きで、縮小画像を表示する。また、コンテンツ情報１４０が１８０度回転して表示されていない状態で、ミニ表示ボタン１８８が押された場合、縮小画像を１８０度回転して表示する。これにより、使用者は、コンテンツ情報１４０が自身の方向に向いていない場合であっても、ミニ表示ボタン１８８を押すことにより、コンテンツ情報１４０の縮小された画像を自身の向きで表示できる。その結果、表示装置１００を回転させ、自身の方向に向けることなしに、表示部１３０に表示されているコンテンツ情報１４０の内容を把握しやすくなる。
【００８９】
ここで、表示回転ボタン１８６が「第１キー」に相当し、中央ボタン１８２が「第２キー」に相当し、メニュー回転ボタン１８７が「第３キー」に相当する。上ボタン１８１，下ボタン１８４，又は右ボタン１８３が「第４キー」に相当する。ミニ表示ボタン１８８が「第５キー」に相当する。
【００９０】
また、図３のＳ１３の処理を実行するＣＰＵ１０１が「第１指示判断手段」に相当し、Ｓ１６の処理を実行するＣＰＵ１０１が「第２指示判断手段」に相当し、Ｓ１４の処理を実行するＣＰＵ１０１が「第３指示判断手段」に相当し、図１２のＳ１１１の処理を実行するＣＰＵ１０１が「第４指示判断手段」に相当し、図３のＳ１５の処理を実行するＣＰＵ１０１が「第５指示判断手段」に相当する。
【００９１】
また、図１２のＳ１１７の処理を実行するＣＰＵ１０１が「第１表示制御手段」に相当し、図１２のＳ１２１の処理を実行するＣＰＵ１０１が「第２表示制御手段」に相当する。図７のＳ６５の処理を実行するＣＰＵ１０１が「制御変更手段」に相当し、図１２のＳ１１２の処理を実行するＣＰＵ１０１が「第４表示制御手段」に相当する。図１２のＳ１２４、及びＳ１２５の処理を実行するＣＰＵ１０１が「第５表示制御手段」に相当する。
【００９２】
尚、本発明は、上記した実施の形態に限定されるものではなく、本発明の要旨を逸脱しない範囲内において種々の変更が可能であることは勿論である。表示部１３０に表示されるインジケータ１５０としては、表示部１３０に表示されているコンテンツ情報１４０のタイトル名、ページ数等が表示されるが、これに限定しない。例えば、表示装置１００の電池１０８の電池残量であってもよい。
【００９３】
また、インジケータ１５０は、コンテンツ情報１４０が使用者方向に対して１８０度回転して表示されている状態で使用者方向と使用者方向に対して１８０度回転した方向の両方に表示されているが、これはどちらか片方に表示されるようにしても良い。また、使用者方向に近い位置（図１の下側）で使用者方向に対して反対側から読めるように表示されても良い。
【符号の説明】
【００９４】
１００    表示装置
１０１    ＣＰＵ
１０２    ＲＯＭ
１０３    ＲＡＭ
１０５    表示制御部
１０６    操作制御部
１３０    表示部
１４０    コンテンツ情報
１５０    インジケータ
１６０    操作メニュー
１７０    ミニ表示画像
１８０    操作部
１８１    上ボタン
１８２    中央ボタン
１８３    右ボタン
１８４    下ボタン
１８５    左ボタン
１８６    表示回転ボタン
１８７    メニュー回転ボタン
１８８    ミニ表示ボタン
【図１】
2010164719.tif 000003
【図２】
2010164719.tif 000004
【図３】
2010164719.tif 000005
【図４】
2010164719.tif 000006
【図５】
2010164719.tif 000007
【図６】
2010164719.tif 000008
【図７】
2010164719.tif 000009
【図８】
2010164719.tif 000010
【図９】
2010164719.tif 000011
【図１０】
2010164719.tif 000012
【図１１】
2010164719.tif 000013
【図１２】
2010164719.tif 000014
【図１３】
2010164719.tif 000015
【図１４】
2010164719.tif 000016
【図１５】
2010164719.tif 000017
【図１６】
2010164719.tif 000018